(57)【要約】  【課題】  機器の小型化に関わらず、指などで容易に正確に操作可能な携帯端末装置を提供する。  【解決手段】  表示画面の任意の位置を押圧操作することにより、押圧された位置に表示された情報が入力されるタッチパネル付きの表示部と、このタッチパネル付きの表示部における表示画面を予め定めた一定時間以上継続して押圧操作しているか否かを判断する判断手段と、予め定めた一定時間以上継続して押圧操作している場合には、表示部の表示を拡大表示する拡大表示手段と、予め定めた一定時間以上継続して押圧操作していない場合には、押圧された位置の情報を確定し、入力する入力手段とを備える。これにより、表示部を長押すれば表示部に表示された表示を拡大表示でき、その状態で表示部の表示を正しく見て任意の位置を短押すれば、その短押した表示の情報を確定し、正確に入力することができる。【選択図】図１
2005182367.tif 000002
【特許請求の範囲】
【請求項１】
表示画面を押圧操作することにより、押圧操作された位置に対応する情報が入力されるタッチパネル付きの表示部と、このタッチパネル付きの表示部における前記表示画面を予め定めた一定時間以上継続して押圧操作していたかどうかを判断する判断手段と、予め定めた一定時間以上継続して押圧操作していた場合には、表示部の表示を拡大表示する拡大表示手段と、予め定めた一定時間以上継続して押圧操作していなかった場合には、押圧された位置の情報を確定し、入力する入力手段とを備えた携帯端末装置。
【請求項２】
前記拡大表示手段は、前記予め定めた一定時間以上継続して押圧操作し、更に継続して押圧操作したとき、更に拡大表示されることを特徴とする請求項１記載の携帯端末装置。
【請求項３】
前記拡大表示手段は、前記予め定めた一定時間以上継続して押圧操作し、更に継続して予め定めた一定時間以上押圧操作される毎に、更に予め定めた倍率毎に拡大表示されることを特徴とする請求項２記載の携帯端末装置。
【請求項４】
前記表示部に、拡大表示される第１の領域と、拡大表示されない第２の領域を設け、前記第２の領域を押圧操作しながらスライドすることにより、そのスライドを検出するスライド検出手段と、前記スライド検出手段の出力に基づいて、前記第１の領域の表示を前記スライド操作に応じてスライドするスライド手段とを備えたことを特徴とする請求項１記載の携帯端末装置。
【請求項５】
前記表示部に、拡大表示される第１の領域と、拡大表示されない第２の領域と、押圧操作することにより、その押圧操作された位置の表示に対応する情報が入力されるだけの第３の領域を設けたことを特徴とする請求項１記載の携帯端末装置。
【請求項６】
前記表示部に、拡大表示される第１の領域と、拡大表示されない第２の領域を設け、前記第２の領域を予め定めた一定時間以上スライド操作しないで押圧操作したとき、それを検出する検出手段と、前記検出手段の出力に基づいて、前記第１の領域の表示を縮小表示する縮小表示手段とを備えたことを特徴とする請求項１記載の携帯端末装置。
【請求項７】
前記縮小表示手段は、前記予め定めた一定時間以上継続して押圧操作し、更に継続して押圧操作したとき、更に縮小表示されることを特徴とする請求項６記載の携帯端末装置。
【請求項８】
前記縮小表示手段は、前記予め定めた一定時間以上継続して押圧操作し、更に継続して予め定めた一定時間以上押圧操作される毎に、更に予め定めた縮小率毎に縮小表示されることを特徴とする請求項７記載の携帯端末装置。
【請求項９】
前記押圧操作を解除したとき、次の押圧操作を待つ状態にし、前記押圧操作を解除してから予め定めた一定時間が経過した、前記拡大、縮小された表示を元の表示に戻し、次の押圧操作を待つ状態にする手段を備えたことを特徴とする請求項１〜８記載のいずれか１項に記載の携帯端末装置。
【請求項１０】
前記表示部に、無線送受信部を通して発信するためのダイヤル番号情報を入力するための数字が表示されることを特徴とする請求項１〜９のいずれか１項に記載の携帯端末装置。
【請求項１１】
前記表示部に、無線送受信部を通して送信および受信のいずれか少なくとも一方が行われる電子メールのための数字、漢字が表示されることを特徴とする請求項１〜９のいずれか１項に記載の携帯端末装置。
【請求項１２】
前記表示部に、カメラ部で撮影した映像、無線送受信部を通して受信した映像が表示されることを特徴とする請求項１〜９のいずれか１項に記載の携帯端末装置。
【発明の詳細な説明】
【技術分野】
【０００１】
本発明は、タッチパネル付きの表示部を有する携帯端末装置に関する。
【背景技術】
【０００２】
従来、携帯電話機やＰＤＡ、その他の携帯端末装置においては、多機能化が進む一方で、機器の小型化も大いに進化しており、そのために、操作部が小型化されたり、表示部が小型化されたりして、表示が著しく見づらくなったり、操作がしづらくなっているのが現状である。
【０００３】
一方、このような問題を解消する方法として、表示部にタッチパネルを備えた携帯端末装置も公知である。しかしながら、この種のものは、表示部を予め用意したタッチペンで操作しなければならないものが多く、依然として、表示が見づらく、操作もしづらいものであった。
【０００４】
表示部にタッチパネルを用いた各種入力装置において、入力を容易に、かつ、正しく行えるようにするために、表示部に表示された入力可能な文字、数字などを適宜拡大表示し、入力しやすくしたものも公知である。（例えば、特許文献１、２参照）
【０００５】
このようなものによれば、表示された文字や数字などと異なる位置をタッチしても、そのタッチした位置が文字や数字などに近ければ、そのタッチした位置を中心に、その近くにある文字や数字などが拡大表示されたり、タッチパネルに手やペンを予め定めた所定の距離まで近づけると、ただそれだけでその位置の表示が拡大表示されたりすることになるため、その拡大表示された表示を基に手やペンで容易に、かつ、正確に希望する文字や数字などを入力することができる。
【特許文献１】特開平８−２８６８７９号公報（第２−３頁、図３）
【特許文献２】特開平１１−６５７６９号公報（第３−４頁、図１）
【発明の開示】
【発明が解決しようとする課題】
【０００６】
しかしながら、特許文献１に記載されたものは、表示された文字や数字などと異なる位置をタッチした場合に、その部分の表示が拡大表示されるものであり、表示された文字や数字に直接タッチした場合には、拡大表示されるものではない。すなわち、この特許文献に記載されたものは、元々表示された文字や数字にたまたまタッチできず、異なる位置をタッチした場合に拡大表示すると言うものであり、元々表示された文字や数字が比較的大きいものを対象としたものである。したがって、このものでは、元々表示された文字や数字が小さい場合には、その文字や数字にも直接タッチし、拡大表示がなされず、入力が依然として非常に面倒になると言う問題を有する。
【０００７】
また、特許文献２に記載されたものでは、タッチパネルに手やペンを近づけるだけで、その部分の表示が拡大表示されるが、遠ざけるとその拡大表示が直ちに解消されるため、入力に際しては、近づけた状態でそのまま操作する必要があり、その操作が非常に難しいと言う問題がある。
【０００８】
そして、いずれの場合も、拡大表示した後、入力を具体的にどのように行うのか明記しておらず、また、拡大もある拡大率で１度だけ拡大されるだけであり、使用者が任意の拡大率まで拡大して表示することができないものである。
【０００９】
本発明は、このような従来の問題に鑑みてなされたものであり、機器の小型化にも関わらず、指などで容易に正確に操作可能な携帯端末装置を提供するものである。
【課題を解決するための手段】
【００１０】
本発明の携帯端末装置は、表示画面を押圧操作することにより、押圧操作された位置に対応する情報が入力されるタッチパネル付きの表示部と、このタッチパネル付きの表示部における前記表示画面を予め定めた一定時間以上継続して押圧操作していたかどうかを判断する判断手段と、予め定めた一定時間以上継続して押圧操作していた場合には、表示部の表示を拡大表示する拡大表示手段と、予め定めた一定時間以上継続して押圧操作していなかった場合には、押圧された位置の情報を確定し、入力する入力手段とを備えた構成を有している。
【００１１】
この構成により、表示部を長押しすることにより表示部に表示された表示が拡大表示されるため、この状態で表示部の表示を正しく見て任意の位置を短押しすることによりその短押しした表示の情報を確定し、正確に入力することができ、指でも充分に入力可能であると言う作用を有する。
【００１２】
また、本発明の携帯端末装置は、拡大表示手段が、予め定めた一定時間以上継続して押圧操作し、更に継続して押圧操作したとき、更に拡大表示される構成を有する。
【００１３】
この構成により、長押しを継続すれば、更に表示を拡大することができ、より表示を見やすく、操作し易くすることができる。
【００１４】
また、本発明の携帯端末装置は、拡大表示手段が、予め定めた一定時間以上継続して押圧操作し、更に継続して予め定めた一定時間以上押圧操作される毎に、更に予め定めた倍率毎に拡大表示される構成を有する。
【００１５】
この構成により、表示部を予め定めた一定時間以上継続して押圧操作する毎に、一定倍率毎に表示を拡大表示することができ、任意の時間で押圧操作を中止し、その状態で短押しして押圧した表示の情報を確定し、入力することができ、ユーザにとっては、任意の大きさの表示で、その表示の情報を入力することができるという作用を有する。
【００１６】
また、本発明の携帯端末装置は、前記表示部に、拡大表示される第１の領域と、拡大表示されない第２の領域を設け、前記第２の領域を押圧操作しながらスライドすることにより、そのスライドを検出するスライド検出手段と、前記スライド検出手段の出力に基づいて、前記第１の領域の表示を前記スライド操作に応じてスライドするスライド手段とを備えた構成を有する。
【００１７】
この構成により、第２の領域を押圧操作しながらスライドすることにより、第１の領域に表示された表示を、拡大表示されていると否とに関わらず任意にスライドして目的の表示の方向にスライドすることができ、目的の表示を容易に表示することができる。従って、その状態で目的の表示を短押しすれば、その表示の情報を容易に正確に入力することができるという作用を有する。
【００１８】
また、本発明の携帯端末装置は、表示部に、拡大表示される第１の領域と、拡大表示されない第２の領域と、押圧操作することにより、その押圧操作された位置の表示に対応する情報が入力されるだけの第３の領域を設けた構成を有する。
【００１９】
この構成により、第２の領域では、その表示が拡大されず、位置が変わることがなく、第３の領域では、その中に表示された表示を短押しすることにより、それに基づいてその位置の情報を正確に入力することができる。
【００２０】
また、本発明の携帯端末装置は、表示部に、拡大表示される第１の領域と、拡大表示されない第２の領域を設け、第２の領域を予め定めた一定時間以上スライド操作しないで押圧操作したとき、それを検出する検出手段と、この検出手段の出力に基づいて、第１の領域の表示を縮小表示する縮小表示手段とを備えた構成を有する。
【００２１】
この構成により、第２の領域を予め定めた一定時間以上継続してスライド操作しないで押圧操作することにより、一旦拡大された表示でもそれを縮小表示することができ、拡大し過ぎた場合には容易に基に戻すことができる。
【００２２】
また、本発明の携帯端末装置は、縮小表示手段が、予め定めた一定時間以上継続して押圧操作し、更に継続して押圧操作したとき、更に縮小表示される構成を有する。
【００２３】
この構成により、予め定めた一定時間以上継続して押圧操作し、更に継続して押圧操作したとき、更に縮小表示することができ、任意の大きさに縮小表示することができる。
【００２４】
また、本発明の携帯端末装置は、縮小表示手段が、予め定めた一定時間以上継続して押圧操作し、更に継続して予め定めた一定時間以上押圧操作される毎に、更に予め定めた縮小率毎に縮小表示される構成を有する。
【００２５】
この構成により、表示部を予め定めた一定時間以上継続して押圧操作する毎に、一定縮小率毎に表示を縮小表示することができ、任意の時間で押圧操作を中止し、その状態で短押しして押圧した表示の情報を確定し、入力することができ、ユーザにとっては、任意の大きさの表示で、その表示の情報を入力することができるという作用を有する。
【００２６】
また、本発明の携帯端末装置は、押圧操作を解除したとき、次の押圧操作を待つ状態にし、前記押圧操作を解除してから予め定めた一定時間が経過したとき、拡大、縮小された表示を元の表示に戻し、次の押圧操作を待つ状態にする手段を備えた構成を有する。
【００２７】
この構成により、押圧操作を解除すると、その状態で直ちに次の押圧操作を待つ状態になり、押圧操作を解除してから予め定めた一定時間が経過すると、拡大、縮小された表示が元の表示に戻り、次の押圧操作を待つ状態になるため、拡大表示されたり、縮小表示されたりした場合には、そのままの状態で一定時間までの間に任意にその拡大表示された表示や縮小表示された表示を用いて次の押圧操作をすることができ、一定時間経過すると元も状態から押圧操作することができるようになる。
【００２８】
また、本発明の携帯端末装置は、表示部に、無線送受信部を通して発信するためのダイヤル番号情報を入力するための数字が表示される構成を有する。
【００２９】
この構成により、ダイヤル番号を拡大表示し、容易に入力することができる。
【００３０】
また、本発明の携帯端末装置は、表示部に、無線送受信部を通して送信および受信のいずれか少なくとも一方が行われる電子メールのための数字、漢字などが表示される構成を有する。
【００３１】
この構成により、電子メールを作成する際や受信した電子メールを確認する際に、それぞれその文字情報を任意に拡大して表示することができ、表示した状態でその表示をスライドしたりして確認することができ、目の疲れを極力少なくすることができるという作用を有する。
【００３２】
また、本発明の携帯端末装置は、表示部に、カメラ部で撮影した映像や無線送受信部を通して受信した映像が表示される構成を有する。
【００３３】
この構成により、任意の部分を長押しし、その部分を中心に画像を拡大して表示することができ、その部分をより見やすくすることができるという作用を有する。
【発明の効果】
【００３４】
本発明は、機器の小型化にも関わらず、指などで容易に正確に操作可能な携帯端末装置を提供することができる。
【発明を実施するための最良の形態】
【００３５】
以下、本発明の最良の実施の形態について説明する。
【００３６】
図１は、本発明の一実施の形態における携帯端末装置の正面図である。
【００３７】
本発明の一実施の形態における携帯端末装置は、図１に示すように、箱状に形成した筐体１の正面に比較的大きな表示部２を有している。そして、表示部２には、表示された文字、数字、その他の表示が拡大されたり、縮小されたり、スライドされたりする第１の領域Ａと、その周囲を取り囲むように設けられ、第１の領域Ａに表示された文字、数字、その他の表示を縮小したり、スライドしたりするための操作用の第２の領域Ｂと、表示された文字、数字、その他の表示を拡大したり、縮小したりすることはできないが、表示された文字、数字、その他の表示に接触すれば、その接触した表示に対応する情報が入力される第３の領域Ｃが設けられている。
【００３８】
すなわち、第１、第３の領域Ａ、Ｃは、その領域Ａ、Ｃ内に表示された文字、数字、その他の表示に接触（押圧操作を含む、以下同じ）すれば、その接触された表示の情報が確定され入力されるタッチパネルとしての機能を兼ね備えている。
【００３９】
そして、第２の領域Ｂは、文字、数字、その他の表示を有しなくてもよい領域であり、第１、第３の領域Ａ、Ｃを取り巻くように配置されている。そして、第２の領域Ｂは、先に説明したように、第１の領域Ａの表示を縮小したり、スライドしたりするための操作用の領域であり、より具体的には、第１の領域Ａに表示された表示を縮小させたい場合には、第２の領域Ｂの任意の位置に予め定めた一定時間以上継続して接触する、第１の領域Ａに表示された表示をスライドさせたい場合には、第２の領域Ｂの任意の位置に接触し、その状態で指やペンなどを矢印の方向にスライドするという操作を行うための領域である。
【００４０】
尚、図１においては、携帯端末装置が電話モードにあり、第１の領域Ａには、電話発信のためのダイヤル番号を入力するテンキー３が表示され、その上下にある第３の領域Ｃには、今、ダイヤル可能であることを表示する「ダイアル」という表示４、電話モードであることを表示する「電話」という表示５、元のホーム状態に戻りたいときに操作する「Ｈｏｍｅ」という表示６、バッテリの状態や電界強度を確認するための表示７、入力された情報を確認するための表示８、一旦入力した情報をクリアしたい場合に操作する「ＣＬＲ」の表示９、モードを切り替える「Ｍｅｎｕ」の表示１０などが表示されている。
【００４１】
なた、筐体１の正面上下には、それぞれレシーバ用の音孔１１、マイク用の音孔１２がそれぞれ設けられ、筐体１の側面や裏面には、それぞれ必要なアンテナ、操作部、カメラ、スピーカなどが適宜設けられている。
【００４２】
図２は、本発明の一実施の形態における携帯端末装置の概略構成を示すブロック図である。
【００４３】
本発明の一実施の形態における携帯端末装置は、先に説明したタッチパネル機能付きの表示部２のほかに、電話や電子メールを行うための無線送受信部２１、カメラ部２２、電子メール記憶部２３、音声入出力部２４、マイク２５、レシーバ２６、呼出信号出力部２７、呼出音出力用のスピーカ２８、発光ダイオード２９、振動子３０、操作部３１、及び、これらを制御する制御部３２を備えている。
【００４４】
次に、本発明の一実施の形態における携帯端末装置について、その動作を説明する。
【００４５】
先ず、本発明の一実施の形態における携帯端末装置は、ほとんどの操作を表示部２で行うように構成している。
【００４６】
図１に示すように、「Ｍｅｎｕ」の表示に接触して、携帯端末装置を電話モードにした場合には、第１の領域Ａにテンキー３が表示される。テンキー３に接触して相手の電話番号を入力し、それを表示部８に表示し、その状態で予め定めた発信用の操作、例えば、「ダイヤル」の表示に接触すれば、テンキー３を用いて入力した電話番号を、無線送受信部２１を通して、図示していない電話基地局に送信し、発信することができる。発信した電話に対し、相手が応答すれば、無線送受信部２１を介して相手との間で通話回路が形成され、マイク２５、レシーバ２６を用いて、音声入出力部２４、無線送受信部２１を介してそれぞれ相手との間で通話することができる。
【００４７】
相手から電話呼出があり、それが無線送受信部２１で受信された場合には、制御部３２の制御の基で、呼出音出力部２７よりスピーカ２８、発光ダイオード２９、振動子３０などにそれぞれ所定の信号が出力され、これらが駆動し呼出しが行われる。呼出しに応答して予め定めた所定の操作をすれば、その相手との間で通話することが可能になる。
【００４８】
また、電子メールの場合は、「Ｍｅｎｕ」の表示に接触して、電子メールモードにし、その時、表示部２の第１の領域Ａに表示された表示を基に電子メール本文を作成し、送信すれば、作成された電子メールを無線送受信部２１を介して相手に送信することができ、作成された電子メールは、制御部３２の制御のもとで電子メール記憶部２３に記憶される。
【００４９】
相手から電子メールがあれば、無線送受信部２１で受信され、電子メール記憶部２３に記憶されると共に、呼出信号出力部２７に所定の呼出信号が出力され、スピーカ２８、発光ダイオード２９、振動子３０などがそれぞれ駆動され、電子メールがあったことが通知される。
【００５０】
ところで、本実施の形態における携帯端末装置では、表示部２設けたそれぞれの領域Ａ〜Ｃにそれぞれ接触し、それぞれの操作すれば、その操作した位置、操作の状態に応じて、それぞれ、図３に示すように、異なる動作を実行する。
【００５１】
先ず、制御部３２は、表示部２の画面にタッチペン、指などが接触したかどうかを常時監視している。画面にタッチペン、指などが接触すると（Ｓ３０１）、その接触した領域が第１の領域Ａか、第２の領域Ｂかをまず判断する（Ｓ３０２）。接触した領域が第１の領域Ａであれば（Ｓ３０２のＹ）、その接触が予め定めた一定時間（所定時間Ｔ１）以上継続して行われているかどうかを判断する（Ｓ３０３）。所定時間Ｔ１以上継続して接触が行われていると判断した場合（Ｓ３０３のＹ）には、その接触した位置を中心に第１の領域Ａの表示を拡大表示する（Ｓ３０４）。例えば、接触した位置が「２」の近辺であれば、図４に示すように、「２」の近辺を拡大して、第１の領域Ａの全面に表示する。
【００５２】
そして、接触を解除すれば（Ｓ３０５のＹ）、その後、一定時間（所定時間Ｔ３）が経過したかどうかが判断され（Ｓ３０６）、所定時間Ｔ３が経過しない状態（Ｓ３０６のＮ）では、その状態で、そのまま次の接触を待つ状態（Ｓ３０８）になり、所定時間Ｔ３が経過すれば、元の表示、すなわち、拡大されていない元の表示に復帰して（Ｓ３０７）、次の接触を待つ状態（Ｓ３０８）になる。
【００５３】
接触を解除しないで（Ｓ３０５のＮ）、予め定めた一定時間（所定時間Ｔ２）、その接触を継続すると（Ｓ３０９のＹ）、再び、その表示が拡大表示される（Ｓ３０４）。例えば、図４に示すように拡大された表示であっても、図５に示すように、更に一段大きく拡大表示される。そして、この表示の拡大は、接触を解除するまで何度も繰り返され、予め定めた一定の拡大率（最大拡大率）に達するまで継続して実施される。
【００５４】
すなわち、ステップ３０９では、接触が所定時間Ｔ２以上継続して実施されたかどうかを判断するだけでなく、拡大率が予め定めた最大拡大率以下であるかどうかも判断する。したがって、拡大率が予め定めた最大拡大率に達すると、表示の拡大を強制的に停止する。すなわち、所定時間Ｔ２経過しても、拡大率が予め定めた最大拡大率に達すると（Ｓ３０９のＮ）、その状態で接触を解除するかどうかを判断するだけの状態になり（Ｓ３０５）、第１の領域Ａの拡大表示（Ｓ３０４）を行わない状態になる。
【００５５】
第１の領域Ａに接触しても（Ｓ３０２のＹ）、その接触時間が、予め定めた一定時間（所定時間Ｔ１）に達しない状態（Ｓ３０３のＮ）で、その接触を解除した場合（Ｓ３１０のＹ）には、接触した位置の情報が、そのまま制御部３２の制御の基で確定され、所定のメモリなど（図示せず）に入力され（Ｓ３１１）、表示部８に表示される。
【００５６】
例えば、第１図の状態で、「１」に接触し、予め定めた一定時間（所定時間Ｔ１）が経過するまでにその接触を解除した場合には、その接触した「１」の情報が、制御部３２の制御の基で確定され、図１に示すように、表示部８に「１」が表示される。そして、図４に示すように、拡大表示された状態で、「２」に接触し、予め定めた所定時間Ｔ１が経過するまでにその接触を解除した場合でも、その接触した「２」の情報が、制御部３２の制御の基で確定され、図４に示すように、表示部８に「２」が表示される。
【００５７】
すなわち、第１の領域Ａの表示が拡大されていると否とに関わらず、その状態で、第１の領域Ａのいずれかの表示に接触し、予め定めた一定時間（所定時間Ｔ１）が経過するまでに、その接触を解除した場合（すなわち、短押しした場合）には、その短押しした表示の情報が、そのまま制御部３２の制御の基で確定され、表示部８に表示される。そして、その後、元の表示、すなわち、拡大されていない表示に復帰し（Ｓ３０７）、次の接触を待つ状態になる（Ｓ３０８）。したがって、例えば、次の接触を待つ状態で、順次「１」「２」「３」と短押しすれば、表示部８に「１２３」と表示される。
【００５８】
画面に接触しても（Ｓ３０１）、その接触した位置が第１の領域Ａでなく、第２の領域Ｂであった場合（Ｓ３０２のＮ）には、先ず、その接触した位置がスライドされたかどうかが制御部３２の制御の基で判断される（Ｓ３１２）。スライドされたと判断した場合（Ｓ３１２のＹ）には、スライドされた方向と逆の方向に第１の領域Ａの表示が制御部３２の制御の基でスライドされる（Ｓ３１３）。接触を解除すると（Ｓ３１４のＹ）、第１の領域Ａの表示がそのまま維持され、予め定めた一定時間（所定時間Ｔ３）経過するまでは（Ｓ３０６のＮ）、次の接触を待つ状態になる（Ｓ３０８）。予め定めた一定時間（所定時間Ｔ３）が経過すると（Ｓ３０６のＹ）、第１の領域Ａの表示が元の状態、すなわち、拡大されていない、スライドされていない通常の状態の表示に復帰し（Ｓ３０７）、その後、次の接触を待つ状態になる（Ｓ３０８）。
【００５９】
例えば、図４に示すように、拡大表示された状態では、「１」「４」「７」などの数字が見えなくなるが、第２の領域Ｂに接触し（Ｓ３０２のＮ）、矢印の方向にスライドすると（Ｓ３１２のＹ）、第１の領域Ａの表示が矢印と反対の方向に移動し、図６に示すように、「１」「４」「７」などの数字が見える状態になる。同じように、図５に示すように、拡大表示された場合には、「１」「４」「７」などの数字のほかに、「８」「９」などの数字も見えなるが、この状態で第２の領域Ｂに接触し（Ｓ３０２のＮ）、矢印の方向にスライドすると（Ｓ３１２のＹ）、第１の領域Ａの表示が矢印と反対の方向に移動し、図７に示すように、「８」「９」の数字が見える状態になる。
【００６０】
したがって、第１の領域Ａを予め定めた一定時間（所定時間Ｔ１）以上接触し（Ｓ３０３）、第１の領域Ａの表示を拡大した（Ｓ３０４）結果、誤って、操作しようとする数字（表示）が見えなくなったとしても、その次に、第２の領域Ｂに接触し（Ｓ３０２にＮ）、矢印の方向にスライドすることにより（Ｓ３１２のＹ）、操作しようとする数字（表示）を容易に見える状態にすることができ、この状態で、操作しようとする数字（表示）に接触し（Ｓ３０２のＹ）、予め定めた一定時間（所定時間）以内にその接触を解除すれば（Ｓ３１０のＹ）、その接触した数字（表示）の内容を確定し、入力することができる（Ｓ３１１）。
【００６１】
接触した領域が第２の領域Ｂであり（Ｓ３０２のＮ）、そのままスライドしないで（Ｓ３１２のＮ）、予め定めた一定時間（所定時間Ｔ１）が経過した場合（Ｓ３１５のＹ）には、制御部３２の制御の基で、第１の領域Ａの表示が第１の領域Ａの中心に縮小表示される（Ｓ３１６）。第１の領域Ａの表示が縮小表示されても（Ｓ３１６）、その後、接触を解除しなければ（Ｓ３１７のＮ）、更に、その後、予め定めた一定時間（所定時間Ｔ２）が経過したかどうかが判断され（Ｓ３１８）、予め定めた一定時間（所定時間Ｔ２）が経過すれば（Ｓ３１８のＹ）、先に縮小表示された表示が、更に縮小表示される（Ｓ３１６）。例えば、図５に示すように、拡大表示された画面の場合、図４に示すように、縮小表示され、更に、図１に示す方向に、縮小表示される。そして、この状態は、第２の領域Ｂの接触を解除しない限り、そのまま縮小率が予め定めた最少縮小率になるまで繰り返される。
【００６２】
すなわち、ステップ３１８では、接触が所定時間Ｔ２以上継続して実施されたかどうかどうかを判断するだけでなく、縮小率が予め定めた最少縮小率以上であるかどうかも判断する。そして、縮小率が予め定めた最少拡大率に達すると、表示の縮小を強制的に停止する。したがって、所定時間Ｔ２が経過しても、縮小率が予め定めた最少縮小率に達すると（Ｓ３１８のＮ）、第１の領域Ａの縮小（Ｓ３１６）を繰り返す状態にならず、専ら接触を解除するかどうかを判断するだけの状態になる（Ｓ３１７）。
【００６３】
そして、接触を解除すれば（Ｓ３１７のＹ）、その状態で次の接触を待つ状態になり（Ｓ３０８），予め定めた一定時間（所定時間Ｔ３）経過すれば、元の状態、すなわち、拡大も、縮小もされていない元の状態に復帰し（Ｓ３０７）、次の接触を待つ状態になる（Ｓ３０８）。
【００６４】
第２の領域Ｂに接触し（Ｓ３０２のＮ）、そのままスライドせずに（Ｓ３１２のＮ）、しかも、予め定めた一定時間（所定時間Ｔ１）に達しない状態（Ｓ３１５のＮ）で、その接触を解除した場合（Ｓ３１９のＹ）には、そのまま次の接触を待つ状態（Ｓ３０８）になり、予め定めた一定時間（所定時間Ｔ３）経過すれば、元の状態、すなわち、拡大も、縮小もされていない元の状態に復帰し（３０７）、次の接触を待つ状態になる（Ｓ３０８）。
【００６５】
このように、本実施の形態によれば、第１の領域Ａに接触し、予め定めた一定時間（所定時間Ｔ１）以内に接触を解除（短押し）すれば、その接触した数字、表示などが確定され、入力される。そして、予め定めた一定時間（所定時間Ｔ１）を越えて更に継続的に接触（長押し）すれば、その接触した数字、表示を中心に第１の領域Ａの表示が拡大表示される。そして、それは、継続的に接触している限り、順次繰返し、最大拡大率に達するまで拡大される。したがって、使用者は、元の数字や表示では、小さすぎて正確に入力し難くても、使用し易い拡大率まで拡大し、その状態で接触を解除し、その後、短押しすることによって、元の数字や表示を拡大表示して入力することができ、タッチペンなどを用いずとも、指などで簡単に入力できると言う作用を有する。
【００６６】
また、本実施の形態によれば、第２の領域Ｂに接触し、スライドすることによって、第１の領域Ａの表示をスライドすることができるため、第１の領域Ａに、入力しようとする数字や表示が現れていない場合でも、第２の領域Ｂに接触し、スライドするだけで、その現れていない数字や表示を第１の領域Ａに出現させることができ、従って、この状態で入力しようとする数字や表示を短押しし、容易に入力することができる。特に、第１の領域Ａの表示を拡大表示する場合、拡大表示する前に凡その位置を長押しすると、使用しようとする数字や表示が一部或いは全部見えなくなることが多く考えられる。しかし、本実施の形態によれば、第１の領域Ａを拡大表示した後でも、第２の領域Ｂを接触し、スライドすることにより第１の領域Ａの表示をスライドすることができ、見えなくなった表示を容易に見えるようにすることができる。
【００６７】
そして、本実施の形態によれば、第２の領域Ｂに接触し、スライドする方向と、第２の領域Ｂに接触したときに第１の領域Ａの表示がスライドする方向とを、互いに逆にしているため、第１の領域Ａの上に隠れた数字、表示を表示したい場合には、第２の領域Ｂで上方向にスライドする、第１の領域Ａの右に隠れた数字、表示を表示したい場合には、第２の領域Ｂで右方向にスライドするというように、感覚的に非常に分かりやすい方向にスライドすればよく、使用者にとって非常に便利である。
【００６８】
また、本実施の形態によれば、第２の領域Ｂで長押しすれば、一旦拡大表示された第１の領域Ａの表示でも、任意に順次縮小表示することができ、第１の領域Ａと第２の領域Ｂとを用いて第１の領域Ａの表示を任意に、拡大、縮小しながら好みの大きさに拡大し、使用することができる。
【００６９】
また、本実施の形態によれば、第１の領域Ａや第２の領域Ｂへの接触を解除した後も、その状態では直ちに次の接触を待つ状態になるが、予め定めた一定時間（所定時間Ｔ３）が経過すると、これまでに拡大、縮小、スライドなどした表示であっても、これらをすべて自動的に元の表示に戻し、その状態で次の接触を待つ状態になる。したがって、接触を解除し、放置しておけば、自動的に元の状態に戻り、いちいち戻すための操作を必要としないと言う作用を有する。
【００７０】
なお、本実施の形態において、予め定めた一定時間（所定時間Ｔ１、Ｔ２、Ｔ３）は、Ｔ３＞Ｔ１＞Ｔ２の関係であることが望ましい。このようにすれば、例えば、２秒間接触を続けていれば、拡大、又は、縮小が開始される。そして、その後更に接触を継続していれば、１秒毎に拡大、縮小が繰り返される。接触を解除した場合は、接触を解除してから、５秒以上、或いは、１０秒以上放置していると元の表示に戻ると言うようにすることができ、使用者の感覚に非常に合致したものとすることができる。
【００７１】
そして、本実施の形態では、ステップ３０３、３１５において所定時間Ｔ１を、ステップ３０９、３１８において所定時間Ｔ２をそれぞれ計測するようにしているが、ステップ３０３、３１５においてそれぞれ所定時間Ｔ１１、Ｔ１２を、ステップ３０９、３１８においてそれぞれ所定時間Ｔ２１、Ｔ２２を継続するように、各ステップにおいて計測する所定時間を互いに異ならせてもよいことは言うまでもないことである。
【００７２】
また、本実施の形態において、予め定めた一定時間（所定時間Ｔ１、Ｔ２、Ｔ３、又は、Ｔ１１、Ｔ１２、Ｔ２１、Ｔ２２、Ｔ３）は、デフォルト値のほかに、任意に設定し登録可能なようにしておくことが望ましい。このようにすれば、使用者が任意に最も使用しやすい所定時間を設定し、使用することができる。
【００７３】
また、本実施の形態では、先に説明したように、電話のみなわず、電子メールやインターネットも可能なように構成されており、例えば、電子メールやインターネットにおいて漢字を入力する場合には、画数毎に格納された多数の漢字を第１の領域Ａに一覧表示し、その中から任意の漢字に接触して入力することも可能なように構成されている。
【００７４】
図８は、「Ｍｅｎｕ」の表示を操作して、電子メールのモードにし、その状態で、画数毎に格納された多数の漢字（ここでは、３画の漢字）を第１の領域Ａに一覧表示した状態を示している。このような場合、漢字の数が元々数字に比して多数に及ぶため、１つの漢字に割当てられる表示面積がどうしても数字に比して小さくなる。したがって、図８の状態で第１の領域Ａに接触しても、特別なタッチペンなどを用いない限り、凡その位置に接触できるだけであり、したがって、この状態では、正確に希望する漢字に接触することが非常に難しい。しかしながら、本実施の形態によれば、図８の状態で、希望する漢字の近傍に指などを接触し、その接触を予め定めた一定時間以上継続するだけで、図８の状態を、図９の状態、図１０の状態、図１１の状態というように、順次、拡大表示さすることができ、任意に拡大表示された段階で、任意に希望する漢字を正確に特定して接触することが可能になる。勿論、この場合も第１の領域Ａの表示をスライドしたり、縮小したりすることなどが可能でありこれらの動作も任意に使用して希望する漢字を表示し、その漢字を短押しして確定、入力することが可能である。
【００７５】
そして、図８は、表示された漢字の中で「下」を短押しした状態、図９は、領域Ａを長押しし、領域Ａの表示を拡大した状態、図１０は、更に拡大し、「三」を短押しした状態、図１１は、更に拡大表示し、「丸」を短押しした状態を示している。
【００７６】
更に、本実施の形態では、カメラ部２２で撮影した映像や、電子メールで受信した映像なども同様に拡大したり、縮小したり、スライドしたりして表示することが可能である。
【００７７】
図１２は、図１１に示すように「下三丸」を入力した状態で、更に、カメラ部２２で撮影した映像や、電子メールで受信した映像を第１の領域Ａに表示した状態を示している。図１２において、領域Ａの任意の位置（ここでは、ほぼ中央部）を接触し、その状態で所定時間以上経過すると、図１２の状態が図１３の状態に拡大表示される。第２の領域Ｂを接触しスライドすると、第１の領域Ａの表示が上記スライド方向と逆の方向にスライドし、また、スライドせずに同じ位置を所定時間以上接触していると、縮小表示されることは、これまでの数字、文字の場合と同様である。
【００７８】
このように、本実施の形態では、数字のみならず、漢字、映像、その他についても、第１の領域Ａに表示される表示は、すべて、数字と同様に、拡大したり、縮小したり、スライドしたりすることができるように構成されている。したがって、これらの表示を任意に、拡大、縮小、スライドして希望する表示を正確に選択し、接触し、その表示の情報を入力することができる。
【００７９】
なお、本実施の形態では、表示部２に接触し、予め定めた一定時間以上その状態を維持する、或いは、それ以前に接触を解除するなど、「接触」という言葉で説明しているが、本発明においては、「接触」も予め定めた一定以上の力で表示部を押圧操作していることに変りはないので、「押圧操作」と実質同意語として用いていることに注意を要する。
【００８０】
また、本実施の形態では、表示部に予め定めた一定時間以上継続して接触している場合を長押し、そうでない場合を短押しとして説明しているが、短押しに関しては、強く押圧操作すると言う動作を加味したり、強く押圧操作すると言う動作に変えたりして、これらの動作を含ませてもよい。このようにすれば、例えば、表示部を比較的弱い力で押圧操作し、その状態を予め定めた一定時間以上継続してその表示を拡大表示する。そして、拡大表示された表示を強く押圧操作し、その押圧操作した表示に対応する情報を確定し入力するということが可能になり、より感覚的に入力しやすくすることができる。
【００８１】
また、本実施の形態では、第２の領域Ｂを第１、第３の領域Ａ、Ｃを含む全外周にリンク状に形成したが、第２の領域Ｂは、それぞれ第１、第３の領域Ａ、Ｃの左右一方と上下一方にのみに設けても良く、また、別の位置にそれぞれ設けても良い。また、第２の領域Ｂには、文字、数字、その他の表示を一切設けていないが、第２の領域Ｂに、第２の領域Ｂを操作すれば先に説明したように領域Ａの表示がスライドしたり、縮小表示されたりすることを案内するような表示を設けたり、別の意匠的な模様、その他を表示したりしても良いことは言うまでもないことである。
【産業上の利用可能性】
【００８２】
本発明は、機器の小型化にも関わらず、指などで容易に正確に操作可能な効果を有し、携帯端末装置等に有用である。
【図面の簡単な説明】
【００８３】
【図１】本発明の一実施の形態における携帯端末装置において、第１の領域Ａにテンキーを表示した状態の正面図
【図２】本発明の一実施の形態における携帯端末装置の概略構成を示すブロック図
【図３】本発明の一実施の形態における携帯端末装置の動作を示すフローチャート
【図４】本発明の一実施の形態における携帯端末装置において、第１の領域Ａを拡大表示した状態の正面図
【図５】本発明の一実施の形態における携帯端末装置において、第１の領域Ａを更に拡大表示した状態の正面図
【図６】本発明の一実施の形態における携帯端末装置において、第１の領域Ａを図４の状態から右方向にスライドした状態の正面図
【図７】本発明の一実施の形態における携帯端末装置において、第１の領域Ａを図５の状態から上方向にスライドした状態の正面図
【図８】本発明の一実施の形態における携帯端末装置において、第１の領域Ａに画数毎（この場合３画）の多数の漢字を一覧表示した状態の正面図
【図９】本発明の一実施の形態における携帯端末装置において、第１の領域Ａを図８の状態から拡大表示した状態の正面図
【図１０】本発明の一実施の形態における携帯端末装置において、第１の領域Ａを図９の状態から更に拡大表示した状態の正面図
【図１１】本発明の一実施の形態における携帯端末装置において、第１の領域Ａを図１０の状態から更に拡大表示した状態の正面図
【図１２】本発明の一実施の形態における携帯端末装置において、第１の領域Ａに画像を表示した状態の正面図
【図１３】本発明の一実施の形態における携帯端末装置において、第１の領域Ａを図１２の状態から拡大表示した状態の正面図
【符号の説明】
【００８４】
１  筐体
２  表示部
３  テンキー
１１、１２  音孔
２１  無線送受信部
２２  カメラ部
２３  電子メール記憶部
２４  音声入出力部
２５  マイク
２６  レシーバ
２７  呼出信号出力部
２８  スピーカ
２９  発光ダイオード
３０  振動子
３１  操作部
３２  制御部
【図１】
2005182367.tif 000003
【図２】
2005182367.tif 000004
【図３】
2005182367.tif 000005
【図４】
2005182367.tif 000006
【図５】
2005182367.tif 000007
【図６】
2005182367.tif 000008
【図７】
2005182367.tif 000009
【図８】
2005182367.tif 000010
【図９】
2005182367.tif 000011
【図１０】
2005182367.tif 000012
【図１１】
2005182367.tif 000013
【図１２】
2005182367.tif 000014
【図１３】
2005182367.tif 000015